(57)【要約】【課題】サイズの異なる熱現像感光フィルムを連続処理したときでも、サイクルタイムが長くならずに、フィルム面内の濃度を均一にでき、画像ヘの影響が少ない熱現像装置を提供する。【解決手段】この熱現像装置は、複数のサイズのシート状の熱現像感光フィルムを装填可能であるフィルム載置手段と、フィルム載置手段上のフィルムを搬送する搬送手段と、搬送されたフィルムに画像データに対応した光量で潜像を形成する露光手段と、潜像が形成されたフィルムを可視化するために加熱する加熱ドラムを有する熱現像手段と、露光手段の露光量を制御する際に、加熱ドラムにおける幅方向位置に対する温度分布をフィルムサイズ毎に予測した温度分布特性と、フィルムの現像温度と濃度との関係を示す温度濃度情報と、から演算される幅方向位置に対する濃度分布特性に基づいて画像データに対応した光量を補正する。【選択図】  図１９
2005037525.tif 000002
【特許請求の範囲】
【請求項１】
複数のサイズのシート状の熱現像感光フィルムを装填可能であるフィルム載置手段と、
前記フィルム載置手段上の熱現像感光フィルムを搬送する搬送手段と、
前記搬送された熱現像感光フィルムに画像データに対応した光量で潜像を形成する露光手段と、
前記潜像が形成された熱現像感光フィルムを可視化するために加熱する加熱部を有する熱現像手段と、
前記露光手段の露光量を制御する際に、前記加熱部における幅方向位置に対する温度分布を前記熱現像感光フィルムのサイズ毎に予測した温度分布特性と、前記熱現像感光フィルムの現像温度と濃度との関係を示す温度濃度情報と、から演算される前記幅方向位置に対する濃度分布特性に基づいて前記画像データに対応した光量を補正する制御手段と、を備えることを特徴とする熱現像装置。
【請求項２】
複数のサイズのシート状の熱現像感光フィルムを装填可能であるフィルム載置手段と、
前記フィルム載置手段上の熱現像感光フィルムを搬送する搬送手段と、
前記搬送された熱現像感光フィルムに画像データに対応した光量で潜像を形成する露光手段と、
前記潜像が形成された熱現像感光フィルムを可視化するために加熱する加熱部を有する熱現像手段と、
前記加熱された熱現像感光フィルムを冷却しながら搬送する冷却搬送手段と、
前記露光手段の露光量を制御する際に、前記冷却搬送手段における幅方向位置に対する温度分布を前記熱現像感光フィルムのサイズ毎に予測した温度分布特性と、前記熱現像感光フィルムの現像温度と濃度との関係を示す温度濃度情報と、から演算される前記幅方向位置に対する濃度分布特性に基づいて前記画像データに対応した光量を補正する制御手段と、を備えることを特徴とする熱現像装置。
【請求項３】
複数のサイズのシート状の熱現像感光フィルムを装填可能であるフィルム載置手段と、
前記フィルム載置手段上の熱現像感光フィルムを搬送する搬送手段と、
前記搬送された熱現像感光フィルムに画像データに対応した光量で潜像を形成する露光手段と、
前記潜像が形成された熱現像感光フィルムを可視化するために加熱する加熱部を有する熱現像手段と、
前記加熱された熱現像感光フィルムを冷却しながら搬送する冷却搬送手段と、
前記露光手段の露光量を制御する際に、前記加熱部における幅方向位置に対する温度分布を前記熱現像感光フィルムのサイズ毎に予測した第１温度分布特性と、前記冷却搬送手段における幅方向位置に対する温度分布を前記熱現像感光フィルムのサイズ毎に予測した第２温度分布特性と、前記熱現像感光フィルムの現像温度と濃度との関係を示す温度濃度情報と、からそれぞれ演算される前記加熱部における幅方向位置に対する第１濃度分布特性及び前記冷却搬送手段における幅方向位置に対する第２濃度分布特性に基づいて前記画像データに対応した光量を補正する制御手段と、を備えることを特徴とする熱現像装置。
【請求項４】
前記第１濃度分布特性及び前記第２濃度分布特性から演算された前記幅方向位置に対する濃度分布特性に基づいて前記補正を行うことを特徴とする請求項３に記載の熱現像装置。
【請求項５】
前記搬送手段が前記熱現像感光フィルムをその幅方向に関し前記加熱部に対して片側基準で搬送することを特徴とする請求項１乃至４のいずれか１項に記載の熱現像装置。
【請求項６】
前記幅方向位置に対する濃度分布特性及び前記熱現像感光フィルムに関する光量と濃度との光量濃度関係から求めた光量に基づいて前記補正を行うことを特徴とする請求項１乃至５のいずれか１項に記載の熱現像装置。
【請求項７】
前記熱現像手段は、前記加熱部の表面に弾性層を有し、更に前記弾性層の外表面にフッ素樹脂からなる滑面層を有することを特徴とする請求項１乃至６のいずれか１項に記載の熱現像装置。
【請求項８】
前記各サイズの熱現像感光フィルムは装置前面側に沿った片側基準で搬送されることを特徴とする請求項１乃至７のいずれか１項に記載の熱現像装置。
【発明の詳細な説明】
【０００１】
【発明の属する技術分野】
本発明は、複数のサイズの熱現像感光フィルムに画像を形成する熱現像装置に関するものである。
【０００２】
【従来の技術】
従来の医療用イメージャ（熱現像装置）では、半切（１７×１４）・大角（１４×１４）・大四切（１１×１４）の各サイズのフィルムを、主走査方向が１４インチとなるようフィルムを搬送することで同一のイメージャで処理可能とし、他のサイズ、例えば六切等は専用イメージャで処理するものであった。ところが、近年では上記３サイズの他に、超音波撮影装置の出力時に用いられる六切（８×１０）等の短辺及び長辺ともに半切（１７×１４）・大角（１４×１４）・大四切（１１×１４）とは一致しないサイズのフィルム処理も行えるイメージャが望まれている。
【０００３】
また、医療用イメージャでは、フィルムに対する走査光学系による画像書き込み位置を一定にするために、フィルムが走査露光系に至る前にフィルムが走査光学系に対し所定の位置関係となるようにフィルム位置規制が行われるが、この位置規制にはセンター基準方式及び片側基準方式がある。上述のマルチサイズのフィルムを処理するに際し、フィルム位置規制のためにセンター基準方式及び片側基準方式のどちらを採用するかは、フィルムサイズ・フィルム搬送方向を加味しながら純機械装置的問題として判断される。
【０００４】
また、熱現像プロセスを採用したイメージャでは熱現像特有の下記の問題があることを本発明者らは発見した。即ち、熱現像プロセスにおいて、フィルムを加熱する加熱し搬送する手段として、下記特許文献１に示すように加熱ドラムと複数の対向ローラとによってフィルムを挟持しながら搬送する方式を採用した場合、フィルムと加熱ドラム及び対向ローラとの密着均一化、及び加熱ドラム表面温度均一化を図るために加熱部材表面にシリコンゴム等の弾性層を設けるものがある。
【０００５】
ところが、この弾性層は熱現像感光フィルムの処理にともなって、当該熱現像感光フィルムに含有していた有機酸や高級脂肪酸等が、加熱にともなってフィルムより揮発し、当該弾性層周辺に漂い、弾性層をアタックし、シリコンゴムの架橋結合等を阻害しようとする。
【０００６】
これに加えて、加熱ドラム自体が加熱・冷却を繰り返すことと相俟って、フィルム通過部の弾性層が膨潤し、やがてはその表面にひび割れ等を生じ始め、やがてこのひび割れがフィルムに転写されることとなる。これは、加熱ドラムとフィルムの密着状態が不均一となり、加熱ドラム全面にわたって熱伝達が均一ではなくなるためである。熱現像部でのフィルム通過位置が１４インチのみであれば、半切（１７×１４）・大角（１４×１４）・大四切（１１×１４）の３サイズを処理しても影響は比較的少なく、弾性層にひび割れが生じるまでは使用可能である。
【０００７】
しかしながら、この１４インチと異なるサイズを同じイメージャ（熱現像装置）で処理すると、１４インチ幅端部とは異なる部分に、この膨潤跡が発生することになり、最大サイズのフィルム処理時には、画像に表れてしまう不具合があった。
【０００８】
更に、異種サイズのフィルムを連続的に処理すると、加熱ドラムや加熱ドラムの下流側に配置された冷却部においてフィルム幅方向に温度分布が生じ、この温度分布に起因して発生する濃度むら等による画像への影響が現れてしまう。特に、１４インチ幅よりも小さな幅のフィルムを連続的に処理した後に、１４インチ幅のフィルムを処理すると、端部１４インチと異なるサイズを同じイメージャ（熱現像装置）で処理すると、上記温度分布が比較的大きく生じ、この温度分布に起因して発生する濃度むら等による画像への影響も大きくなってしまう。この場合、加熱ドラムや冷却部におけるフィルム幅方向の温度分布が一定になるまで待機すると、装置使用のサイクルタイムが長くなり、生産性が低下してしまう。
【０００９】
下記特許文献２は、サイズの異なるフィルムを連続して処理するとき、フィルムの長さや幅寸法等に応じて最小温度復帰時間を決定し、この最小温度復帰時間の経過後に熱現像処理することで、連続処理時の温度低下による画像劣化を防止するようにした熱現像方法を開示する。
【００１０】
また、下記特許文献３は、  露光後の記録材料を熱現像部に搬入し、加熱ドラムによって接触・加熱することで現像を行うが、それまでとはサイズの異なる記録材料を熱現像部に搬入する際にはその新たなサイズの記録材料を所定時間待機させることで熱現像部へ搬入するのを遅らせ、この待機の間に加熱ドラムの回転および熱源による加熱を継続することで表面温度を均一にし現像ムラが少なくなるようにした熱現像感光材料記録装置を開示する。
【００１１】
しかし、特許文献２及び特許文献３のいずれの場合も、サイズの異なるフィルムを処理するときに所定時間待つ必要があるので、サイクルタイムが長くなり、生産性が低下してしまう問題が残る。
【００１２】
【特許文献１】
特表平１０−５００４９７号公報
【００１３】
【特許文献２】
特開２００２−２４４２６６公報
【００１４】
【特許文献３】
特表平１１−６５０７０号公報
【００１５】
【発明が解決しようとする課題】
本発明は、上記従来技術の問題に鑑み、サイズの異なる熱現像感光フィルムを連続処理したときでも、サイクルタイムが長くならずに、フィルム面内の濃度を均一にでき、画像ヘの影響が少ない熱現像装置を提供することを目的とする。
【００１６】
【課題を解決するための手段】
上記目的を達成するために、本発明による第１の熱現像装置は、複数のサイズのシート状の熱現像感光フィルム（以下、「フィルム」と表す場合もある。）を装填可能であるフィルム載置手段と、前記フィルム載置手段上の熱現像感光フィルムを搬送する搬送手段と、前記搬送された熱現像感光フィルムに画像データに対応した光量で潜像を形成する露光手段と、前記潜像が形成された熱現像感光フィルムを可視化するために加熱する加熱部を有する熱現像手段と、前記露光手段の露光量を制御する際に、前記加熱部における幅方向位置に対する温度分布を前記熱現像感光フィルムのサイズ毎に予測した温度分布特性と、前記熱現像感光フィルムの現像温度と濃度との関係を示す温度濃度情報と、から演算される前記幅方向位置に対する濃度分布特性に基づいて前記画像データに対応した光量を補正する制御手段と、を備えることを特徴とする。
【００１７】
この第１の熱現像装置によれば、サイズの異なる熱現像感光フィルムを連続処理したときに加熱部の幅方向に温度分布特性が変動しても、その温度分布特性をフィルムサイズ毎に予測し、この予測した加熱部幅方向の温度分布特性と、フィルムの温度濃度情報と、から演算される幅方向位置に対する濃度分布特性に基づいて露光量を補正して露光するので、フィルム面内の濃度を均一にでき、画像ヘの影響を低減できるとともに、加熱部における幅方向の温度分布が均一になるまで待つ必要がないので、サイクルタイムが長くならない。
【００１８】
本発明による第２の熱現像装置は、複数のサイズのシート状の熱現像感光フィルムを装填可能であるフィルム載置手段と、前記フィルム載置手段上の熱現像感光フィルムを搬送する搬送手段と、前記搬送された熱現像感光フィルムに画像データに対応した光量で潜像を形成する露光手段と、前記潜像が形成された熱現像感光フィルムを可視化するために加熱する加熱部を有する熱現像手段と、前記加熱された熱現像感光フィルムを冷却しながら搬送する冷却搬送手段と、前記露光手段の露光量を制御する際に、前記冷却搬送手段における幅方向位置に対する温度分布を前記熱現像感光フィルムのサイズ毎に予測した温度分布特性と、前記熱現像感光フィルムの現像温度と濃度との関係を示す温度濃度情報と、から演算される前記幅方向位置に対する濃度分布特性に基づいて前記画像データに対応した光量を補正する制御手段と、を備えることを特徴とする。
【００１９】
この第２の熱現像装置によれば、サイズの異なる熱現像感光フィルムを連続処理したときに冷却搬送手段の幅方向に温度分布特性が変動しても、その温度分布特性をフィルムサイズ毎に予測し、この予測した冷却搬送手段幅方向の温度分布特性と、フィルムの温度濃度情報と、から演算される幅方向位置に対する濃度分布特性に基づいて露光量を補正して露光するので、フィルム面内の濃度を均一にでき、画像ヘの影響を低減できるとともに、冷却搬送手段における幅方向の温度分布が均一になるまで待つ必要がないので、サイクルタイムが長くならない。
【００２０】
本発明による第３の熱現像装置は、複数のサイズのシート状の熱現像感光フィルムを装填可能であるフィルム載置手段と、前記フィルム載置手段上の熱現像感光フィルムを搬送する搬送手段と、前記搬送された熱現像感光フィルムに画像データに対応した光量で潜像を形成する露光手段と、前記潜像が形成された熱現像感光フィルムを可視化するために加熱する加熱部を有する熱現像手段と、前記加熱された熱現像感光フィルムを冷却しながら搬送する冷却搬送手段と、前記露光手段の露光量を制御する際に、前記加熱部における幅方向位置に対する温度分布を前記熱現像感光フィルムのサイズ毎に予測した第１温度分布特性と、前記冷却搬送手段における幅方向位置に対する温度分布を前記熱現像感光フィルムのサイズ毎に予測した第２温度分布特性と、前記熱現像感光フィルムの現像温度と濃度との関係を示す温度濃度情報と、からそれぞれ演算される前記加熱部における幅方向位置に対する第１濃度分布特性及び前記冷却搬送手段における幅方向位置に対する第２濃度分布特性に基づいて前記画像データに対応した光量を補正する制御手段と、を備えることを特徴とする。
【００２１】
この第３の熱現像装置によれば、サイズの異なる熱現像感光フィルムを連続処理したときに加熱部及び冷却搬送手段の幅方向に温度分布特性がそれぞれ変動しても、それらの各温度分布特性をフィルムサイズ毎に予測し、この予測した加熱部幅方向及び冷却搬送手段幅方向の各温度分布特性と、フィルムの温度濃度情報と、から演算される幅方向位置に対する各濃度分布特性に基づいて露光量を補正して露光し、加熱部及び冷却搬送手段の温度分布特性の両方を考慮して補正するので、フィルム面内の濃度を更に均一にでき、画像ヘの影響を低減できるとともに、加熱部及び冷却搬送手段における幅方向の温度分布が均一になるまで待つ必要がないので、サイクルタイムが長くならない。
【００２２】
上記第３の熱現像装置において前記第１濃度分布特性及び前記第２濃度分布特性から演算された前記幅方向位置に対する濃度分布特性に基づいて前記補正を行うことで、加熱部及び冷却搬送手段の温度分布特性の両方からの影響をまとめて効率的に補正できる。
【００２３】
上記各熱現像装置において前記搬送手段が前記熱現像感光フィルムをその幅方向に関し前記加熱部に対して片側基準で搬送することで、加熱部及び／又は冷却搬送手段の片側の基準位置から幅方向に各温度分布特性を考慮することができる。
【００２４】
また、前記幅方向位置に対する濃度分布特性及び前記熱現像感光フィルムに関する光量と濃度との光量濃度関係から求めた光量に基づいて前記補正を行うことができる。
【００２５】
また、前記熱現像手段は、前記加熱部の表面に弾性層を有し、更に前記弾性層の外表面にフッ素樹脂からなる滑面層を有することで、弾性層の経時的な劣化を防止でき安定な仕上がり画質を得ることができる。
【００２６】
また、前記各サイズの熱現像感光フィルムは装置前面側に沿った片側基準で搬送されることで、フィルムのジャム処理が容易となる。
【００２７】
【発明の実施の形態】
以下、本発明による実施の形態について図面を用いて説明する。図１は本実施の形態による熱現像装置の要部を示す正面図である。図２は図１の熱現像装置の斜視図であり、第１の装填部を引き出した状態を示す図である。図３は図１の熱現像装置の露光部を概略的に示す図である。
【００２８】
図１に示すように熱現像装置１００は、シート状の熱現像感光材料である熱現像感光フィルムを所定枚数でパッケージした包装体を装填する第１及び第２の装填部１１，１２と、フィルムを１枚づつ露光・現像のために搬送する搬送部５とを有する供給部１１０と、供給部１１０から給送されたフィルムを露光し潜像を形成する露光部１２０と、潜像を形成されたフィルムを熱現像する現像部１３０と、現像されたフィルムの濃度を測定し濃度情報を得る濃度計２００や搬送ローラ１４４等を含む冷却搬送部１５０と、を備える。
【００２９】
供給部１１０の第１及び第２の装填部１１，１２には、サイズの異なるフィルムをそれぞれ装填することができ、第１の装填部１１または第２の装填部１２からフィルムが１枚づつ搬送部５、搬送ローラ対１３９，１４１により図１の矢印方向（１）に搬送されるようになっている。そして、フィルムは矢印方向（２）に搬送され露光部１２０で潜像が形成され、次に搬送ローラ対１４２，１４３により矢印方向（３）へ搬送され熱現像部１３０で潜像が可視像化され、更に矢印方向（４）へ搬送され冷却搬送部１５０で冷却されてから排出部１６０に排出されるようになっている。搬送ローラ対１３９，１４１，１４２，１４３等は図４のモータ１５１等により回転駆動され、モータ１５１等は図４のように中央演算装置（ＣＰＵ）から構成された制御部１５２で制御される。
【００３０】
図２のように、熱現像装置１００の第１の装填部１１は、フィルムをフィルムパッケージの状態で装填しフィルムを収納できる収納トレイ部３と、収納トレイ部３に一体的に設けられフィルムを１枚ずつ送り出し装置外へと搬送するためのローラフィード式の搬送部５と、収納トレイ部３の奥側に一体的に設けられ装填されたフィルムパッケージのバリア袋を巻き取り除去する除去部６と、を備える。
【００３１】
第１の装填部１１は、熱現像装置１００の装置筐体１ａに収まりかつ装置筐体１ａから引き出すことができるように構成されている。即ち、収納トレイ部３の全体が装置筐体１ａに対し装置前面で押し込み及び引き出しが可能に構成されており、図２のように方向Ｈ’に装置筐体１ａから引き出されたときに装填位置でフィルムパッケージの装填やメンテナンスが可能となり、また、図２の方向Ｈに装置筐体１ａ内に押し込まれたときに外部からの光が遮断され搬送位置でフィルム搬送が可能になる。このように、第１の装填部１１の収納トレイ部３は、装置内の搬送位置と装置外の装填位置との間で移動できる構造になっている。
【００３２】
次に、図２の搬送部及び除去部について図９〜図１１を参照して説明する。図９は図２の第１の装填部１１に設けられる搬送部を概略的に示す側面図である。図１０は図２の第１の装填部１１にバリア袋の除去部を概略的に示す側断面図である。図１１は図１，図２の第１及び第２の装填部に装填可能なフィルムパーケージの一部破断斜視図である。
【００３３】
図９のように、搬送部５は、載置台４に積層状態で載置されたフィルムＦの表面ＢＣに所定の押付力Ｐ１１で当接した搬送ローラ９１が回転方向ｒに回転することで最上位のフィルムＦをニップローラ対９２，９３側に送り出し、両ローラ９２，９３間にフィルムＦを挟持した状態で従動ローラ９３側から駆動ローラ９２側にニップ力Ｐ１２を加えながら駆動ローラ９２が搬送ローラ９１と同期して回転方向ｒ’に回転することで搬送方向Ｊに搬送する。
【００３４】
また、上述のようなフィルム搬送時に最上位のフィルムＦとともにその下の１、２枚のフィルムも搬送ローラ９１により送り出されてニップローラ対９２，９３で搬送されることがあるので、駆動ローラ９２をトルクリミッタ付きの逆転可能なローラから構成している。ニップローラ対９２，９３間に複数枚のフィルムＦが挟まれると、駆動ローラ９２とフィルムＦとの摩擦係数よりもフィルムＦ同士の摩擦係数が低いので、駆動ローラ９２からのトルクが従動ローラ９３側に伝達されずにトルクリミッタが検知し、駆動ローラ９２及びこれと同期していた搬送ローラ９１が逆回転になり、余分に搬送されたフィルムＦを元に戻すようになっている。
【００３５】
収納トレイ部３に装填可能なフィルムパッケージＰは、図１１に示すように、例えば半切りサイズのフィルムＦを１２５枚程度の多数枚の束として位置決め手段である位置決め部材Ｄ上に集積し位置決めした状態で遮光手段であるバリア袋Ｂ内に光密に収容している。バリア袋Ｂの側端にはバリア袋除去装置における係合爪２６（図３）と係合する複数の係合孔ａが形成されている。
【００３６】
図２の収納トレイ部３の奥行き側にはバリア袋除去部６が設けられている。図１０に示すように、バリア袋除去部６は、図１１のフィルムパッケージＰを図２の収納トレイ部３の載置台４に装填し、ガイドローラ対１１Ａの一方が図１０の２点鎖線のように上方に移動した状態でフィルムパッケージＰの側端の複数の係合孔ａを係合爪２６に係合させてから、ガイドローラ対１１ＡでフィルムパッケージＰの側端面を挟み、係合爪２６を周囲に設けた駆動ローラ３０が回転方向ｃに回転駆動されてバリア袋Ｂを駆動ローラ３０の周囲に巻き取ることでバリア袋Ｂを除去し、位置決め部材Ｄに位置決めされた積層状態のフィルムＦを収納トレイ部３内に露出させる。なお、このバリア袋Ｂの除去前にバリア袋Ｂの他方の側端面ｂを巻き取り易いようにカットしておく。
【００３７】
次に、図１の第１及び第２の装填部においてフィルムを装置本体の前面側基準で搬送するように位置決め整列させる整列機構について図１２により説明する。図１２（ａ）はフィルムの位置決め機構を含む図２の収納トレイ部を示す図であって、収納トレイ部をフィルムの幅方向で破断し、整列前の状態を示す断面図（ａ）、及び整列後の状態を示す断面図（ｂ）である。
【００３８】
図１２（ａ）、（ｂ）に示すように、収納トレイ部３は、フィルムＦを載置する載置台４と、載置台４を内部に含むように載置台４の周囲に設けられる収納トレイ５と、を備える。載置台４は、平板状の部材から構成され、中央に押上げ板１１の収容スペースとなる段差凹部７を有する。
【００３９】
収納トレイ部３は、更に、載置台４の段差凹部７内に収まるように設けられた押上げ板１１Ｂと、押上げ板１１Ｂを上昇させるために図の左右に設けられた押上げ部材１４Ａ，１５Ａと、押上げ部材１４Ａ，１５Ｂをそれぞれ別々に駆動する駆動手段としてのモータＭ１，Ｍ２と、を備え、載置台４上に積層されたフィルムＦを一定位置に整列させる整列機構を構成している。
【００４０】
押上げ板１１Ｂは、フィルムＦを直接下方から支承する矩形平板状の部材で、非動作時に段差凹部７内でフィルムを支承するように収まり、動作時に押上げ部材１４Ａ，１５Ａにより段差凹部７から上方に移動し、載置台４上のフィルムＦを図２の搬送部５の搬送位置に持ち上げる。
【００４１】
フィルムＦは、収納トレイ部３に装填された図１１のフィルムパッケージＰから図１０のバリア袋除去部６でバリア袋Ｂを除去し、位置決め部材Ｄに位置決めされた積層状態で収納トレイ部３内で露出している。この状態で、押上げ部材１４Ａ，１５Ａは、フィルムＦの搬送方向と直交するフィルムＦの幅方向の左右に設けられ、モータＭ１，Ｍ２により個別に動作し、押上げ板１１を上方に持ち上げる。このとき、図１２（ｂ）のように、押上げ部材１５Ａを作動させずにモータＭ１で押上げ部材１４Ａを上方に移動させ、押上げ板１１Ｂを傾けて上方に持ち上げることで載置台４上に積層したフィルムＦを傾けることができ、フィルムＦの側端Ｆ１を整列させる。
【００４２】
この後、もう一方のモータＭ２を駆動し、押上げ部材１５Ａを上方に移動させると、押上げ板１１Ｂは再び水平状態となり、載置台４上のフィルムＦも水平位置に戻るとともに、最上位のフィルムＦが図９のように搬送位置で搬送部５の搬送ローラ９１に当接し搬送可能となる。そして、搬送ローラ９１及びニップローラ対９２，９３を駆動し、最上位のフィルムＦをその下のフィルムから分離して搬送方向Ｊに搬送することができる。
【００４３】
以上のようにしてフィルムＦを図２の収納トレイ部３において装置前面側（図２の前面側、図９の左側）にその側端を揃えて整列させることができる。従って、フィルムＦは、そのサイズに拘わらずに側端が装置前面側を基準にして整列した状態で図１の（１）、（２）と搬送され、加熱ドラム１４へと搬送される。なお、図１の露光部１２０の搬送ローラ対１４２の上流側にもフィルムの側端を装置前面側に整列させるフィルム整列機構を設けてもよい。また、第２の装填部１２の各構成は上述の第１の装填部１１と同様の構成となっている。
【００４４】
上述のように、フィルムＦはその側端が装置前面側を基準にして整列した状態（片側基準搬送方式）で熱現像装置１００内を搬送されるので、フィルム、特に小サイズのフィルムに対するアクセスが容易となり、ジャムトラブルの処理が行い易くなり、好ましい。
【００４５】
次に、露光部について説明する。図３のように、露光部１２０は、画像データＳに基づき強度変調されたレーザ光Ｌを、回転多面鏡１１３によって偏向して、フィルムＦ上を主走査すると共に、フィルムＦをレーザ光Ｌに対して主走査の方向と略直角な方向に相対移動させることにより副走査し、レーザ光Ｌを用いてフィルムＦに潜像を形成するものである。
【００４６】
露光部１２０のより具体的な構成を以下に述べる。図３において、画像データ出力装置１２１から出力されたデジタル信号である画像データＳは、Ｄ／Ａ変換器１２２においてアナログ信号に変換され、変調回路１２３に入力される。変調回路１２３は、かかるアナログ信号に基づき、レーザ光源部１１０ａのドライバ１２４を制御して、レーザ光源部１１０ａから変調されたレーザ光Ｌを照射させるようになっている。また、変調回路１２３は制御部１５２（図１４）の制御の下で補正部１２５からの補正信号により露光量を補正するようにドライバ１２４を制御してレーザ光Ｌのフィルムに対する露光量を補正する。
【００４７】
レーザ光源部１１０ａから照射されたレーザ光Ｌは、レンズ１１２を通過し、シリンドリカルレンズ１１５により上下方向にのみ収束されて、図中矢印Ａ方向に回転する回転多面鏡１１３に対し、その駆動軸に垂直な線像として入射するようになっている。回転多面鏡１１３は、レーザ光Ｌを主走査方向に反射し偏向し、偏向されたレーザ光Ｌは、２枚のレンズを組み合わせてなるシリンドリカルレンズを含むｆθレンズ１１４を通過した後、光路上に主走査方向に延在して設けられたミラー１１６で反射されて、搬送装置１４２により、矢印Ｙ方向に搬送されている（副走査される）フィルムＦの被走査面１１７上を、矢印Ｘ方向に繰り返し主走査する。すなわち、レーザ光Ｌを、フィルムＦ上の被走査面１１７の全面にわたって走査する。
【００４８】
ｆθレンズ１１４のシリンドリカルレンズは、入射したレーザ光ＬをフィルムＦの被走査面１１７上に、副走査方向にのみ収束させるものとなっており、また前記ｆθレンズ１１４から前記被走査面までの距離は、ｆθレンズ１１４全体の焦点距離と等しくなっている。このように、露光部１２０においては、シリンドリカルレンズを含むｆθレンズ１１４及びミラー１１６を配設しており、レーザ光Ｌが回転多面鏡１１３上で、一旦副走査方向にのみ収束させるようになっているので、回転多面鏡１１３に面倒れや軸ブレが生じても、フィルムＦの被走査面１１７上において、レーザ光Ｌの走査位置が副走査方向にずれることがなく、等ピッチの走査線を形成することができるようになっている。回転多面鏡１１３は、例えばガルバノメータミラー等、その他の光偏光器に比べ走査安定性の点で優れているという利点がある。以上のようにして、フィルムＦに画像データＳに基づく潜像が形成されることとなる。
【００４９】
上述のように潜像が形成される具体的な化学的反応の内容について図７を参照して説明する。図７は、熱現像材料から構成されるフィルムＦの断面図であり、露光時におけるフィルムＦ内の化学的反応を模式的に示した図である。
【００５０】
フィルムＦは、ＰＥＴからなる支持体（基層）上に、耐熱性バインダを主成分とする感光層が形成され、更に、その上に耐熱性バインダを主成分とする保護層が形成されている。感光層には、ハロゲン化銀粒子と、有機酸銀の一種であるベヘン酸銀（Ｂｅｈ．Ａｇ）と、還元剤及び調色剤とが配合されている。また、支持体の裏面にも耐熱性バインダを主成分とする裏面層が設けられている。
【００５１】
露光時に、露光部１２０よりレーザ光ＬがフィルムＦに対して照射されると、図７に示すように、レーザ光Ｌが照射された領域に、ハロゲン化銀粒子が感光し、潜像が形成される。
【００５２】
図４乃至図６は、フィルムＦを加熱する熱現像部１３０の構成を示す図であり、より具体的には、図４は、熱現像部１３０の斜視図であり、図５は、図４の構成をＩＶ−ＩＶ線で切断して矢印方向に見た断面図であり、図６は、図４の構成を正面から見た図である。
【００５３】
熱現像部１３０は、フィルムＦを外周にほぼ密着して保持しつつ加熱可能な加熱部材としての加熱ドラム１４を有している。加熱ドラム１４は、フィルムＦを所定の最低熱現像温度以上に、所定の熱現像時間維持することによって、フィルムＦに、形成された潜像を可視画像として形成する機能を有する。ここで、最低熱現像温度とは、フィルムＦに形成された潜像が熱現像され始める最低温度のことであり、例えば９５℃以上である。一方、熱現像時間とは、フィルムＦの潜像を所望の現像特性に現像するために、最低熱現像温度以上に維持するべき時間をいう。なお、フィルムＦは、４０℃以下では実質的に熱現像されないものであることが好ましい。
【００５４】
上述の加熱により潜像が可視化される具体的な化学的反応の内容について図８を参照して説明する。図８は、加熱時におけるフィルムＦ内の化学的反応を模式的に示した、図７と同様な断面図である。
【００５５】
フィルムＦが加熱されて最低熱現像温度以上になると、図８に示すように、ベヘン酸銀から銀イオン（Ａｇ＋）が放出され、銀イオンを放出したベヘン酸は調色剤と錯体を形成する。その後銀イオンが拡散して、感光したハロゲン化銀粒子を核として還元剤が作用し、化学的反応により銀画像が形成されると思われる。このようにフィルムＦは、感光性ハロゲン化銀粒子と、有機銀塩と、銀イオン還元剤とを含有し、４０℃以下の温度では実質的に熱現像されず、例えば９５℃以上の温度で熱現像される。
【００５６】
図４，図５に示すように、加熱ドラム１４の外方には、案内部材かつ押圧部材として加熱ドラム１４に比べて小径の回転自在の対向ローラ１６が複数本設けられており、加熱ドラム１４に対して平行に対向するように配置されている。
【００５７】
対向ローラ１６は、ステンレス鋼からなり、上流側の３本１６ａ、１６ｂ、１６ｃを中実の例えば直径１２ｍｍの大径ローラに構成し、その下流に隣接する対向ローラ１６ｄ及び最下流側の対向ローラ１６ｅまでの残りの対向ローラ１６を管状の例えば直径８ｍｍの小径ローラに構成している。対向ローラ１６は熱容量が０．１６ｋＪ／Ｋ以上が好ましく、対向ローラ１６の材質であるステンレス鋼は、熱容量が０．１８ｋＪ／Ｋ程度である。
【００５８】
加熱ドラム１４の両端には、フレーム１８に支持されている案内ブラケット２１が片側に３個ずつ備えられている。案内ブラケット２１を組み合わせることにより、加熱ドラム１４の両端において、対向するＣ字形状が形成されるようになっている。
【００５９】
案内ブラケット２１は複数の対向ローラ１６をその両端で一体的に保持しており、案内ブラケット２１による保持位置が調整可能になっている。即ち、案内ブラケット２１の位置を調整することで複数の対向ローラ１６の加熱ドラム１４に対する位置を調整できる。これにより、加熱ドラム１４の軸線方向における加熱ドラム１４と対向ローラ１６との間の平行度を適切に調整できるので、フィルムが加熱ドラム１４の外周面に均一に密着できる。特に、後述のように加熱ドラム１４の外周面にフッ素樹脂等の滑面層を設けた場合に、かかる平行度のずれに起因して濃度むらが生じ易いのであるが、平行度を調整可能に構成することでかかる濃度むらを防止できる構成を実現できる。
【００６０】
各案内ブラケット２１は、半径方向に延びた長孔４２を９つ形成している。この長孔４２から、対向ローラ１６の両端部に設けられたシャフト４０が突出する。シャフト４０には、それぞれ各コイルばね２８の一端が取り付けられており、各コイルばね２８の他端は、案内ブラケット２１の内方縁近傍に取り付けられている。従って、各対向ローラ１６は、各コイルばね２８の付勢力に基づく所定の力で、加熱ドラム１４の外周にそれぞれ付勢される。フィルムＦは、加熱ドラム１４の外周と対向ローラ１６との間に進入したときに、かかる所定の力で加熱ドラム１４の外周面に対して押圧され、それによりフィルムＦを全面的に均一に加熱する。
【００６１】
加熱ドラム１４に同軸に連結されたシャフト２２は、フレーム１８の端部部材２０から外方に延在しており、シャフトベアリング２４により、端部部材２０に対して回転自在に支承されている。シャフト２２の下方に配置され、端部部材２０に取り付けられたマイクロステップモータ（図示省略）の回転軸２３には、ギヤ（図示省略）が形成されている。一方、シャフト２２にもギヤが形成されている。両ギヤを連結するタイミングベルト（ギヤが刻まれているベルト）２５を介して、マイクロステップモータの動力がシャフト２２に伝達され、それにより加熱ドラム１４が回転する。なお、回転軸２３からシャフト２２への動力の伝達は、タイミングベルトではなくチェーンやギヤ列を介して行っても良い。
【００６２】
図６に示すように、本実施の形態において、対向ローラ１６は、加熱ドラム１４の周囲方向に設けられており、２本の補強部材３０（図６）が、フレーム１８の両端部部材２０を連結し、両端部部材２０を付加的に支持するようになっている。
【００６３】
加熱ドラム１４の内周には、板状のヒータ３２が全周にわたって取り付けられており、図６に示す制御用の電子装置３４の制御下で、加熱ドラム１４の外周を加熱するようになっている。ヒータ３２への電力の供給は、電子装置３４に連結されたスリップ・リング・アセンブリ３５を介して行われる。ヒータ３２は、加熱ドラム１４の外周面を加熱するべく、加熱ドラム１４の内周に取り付けられており、例えばエッチングされた抵抗性のフォイル・ヒータを用いることができる。
【００６４】
ヒーター制御用の電子装置３４は、加熱ドラム１４と共に回転し、加熱ドラム１４に配置された温度検出手段により感知された温度情報に応じて、ヒータ３２に供給される電力を調整することができるようになっている。制御用電子装置３４はヒータ３２を制御することにより、特定のフィルムＦの現像に適した温度になるよう、加熱ドラム１４の外表面温度調整を行う。本実施の形態においては加熱ドラム１４を、６０℃〜１６０℃の温度にまで加熱することができる。
【００６５】
ここで、ヒータ３２と制御用電子装置３４とにより、加熱ドラム１４の幅方向の温度を２．０℃以内（特に、１．０℃以内）に維持すると好ましい。本実施の形態では、０．５℃以内に維持される。
【００６６】
図５に示すように、加熱ドラム１４は、回転自在な円筒形状のアルミニウム製の支持チューブ３６と、この支持チューブ３６の外側に取り付けられたシリコンゴム等からなる柔軟な弾性層３８と、弾性層３８の外周にフッ素樹脂を塗布等でコーティングして最外周面として形成された滑面層３９と、を備える。
【００６７】
弾性層３８の厚さと熱伝導率は、複数のフィルムＦの連続的処理を効率的に行えるように選択され、熱伝導率は０．５Ｗ／ｋ以上が好ましい。また、弾性層３８の硬度は、ＪＩＳ−Ａ硬度２０乃至７０度であることが好ましい。なお、弾性層３８は、支持チューブ３６に間接的に取り付けられていても良い。
【００６８】
弾性層３８はゴムまたはゴム状部材から構成でき、かかるゴムまたはゴム状部材としては、各種ゴム材料や熱可塑性エラストマなどの他に、ゴム材料と同様の弾性をもつ各種材料を広く含む。例えば、各種ゴム材料、樹脂材料、熱可塑性エラストマ等を、単独もしくは併用したものを用いても良い。この場合において、各種ゴム材料とは限定されるものではなく、例えば、固体のゴム材料の他に、液状の粘弾性体を硬化させて得られる液状反応硬化物等を用いても艮い。
【００６９】
また、固体のゴム材料とは、例えばエチレンプロピレン三元共重合体（ＥＰＤＭ）、ブチルゴム、ポリイソブチレン、エチレンプロピレンゴム、クロロフレンゴム、天然ゴム、スチレンブタジエンゴム、ブタジエンゴム、スチレン−イソブレン−スチレン、スチレン−ブタジエン−スチレン、ウレタンゴム等を、単独もしくは併用して用いたポリマに対して、従来からゴム工業一般で用いられている、加硫剤や架橋剤、加硫促進剤、加硫促進助剤、粘着付与剤、充填剤、可塑剤、老化防止剤、溶剤等の配合薬品を配合し、加硫（又は架橋）したものが含まれる。
【００７０】
また、液状のゴム材料とは、例えば、ウレタン、液状ポリブタジエン、変性シリコン、シリコン、ポリサルファイド等が含まれる。なお、これらの材料は、固体化させるための硬化剤を所定量添加して混合し、反応硬化させて用いることが好ましい。弾性層３８は、密な状態に形成しても、スポンジ状に形成してもよい。
【００７１】
滑面層３９を形成するために塗布するフッ素樹脂としては、例えば、ポリテトラフルオロエチレン（ＰＴＦＥ）、ポリクロロトリフルオロエチレン（ＰＣＴＦＥ）、ポリビニリデンフルオライド（ＰＶＤＦ）、テトラフルオロエチレンとハーフルオロアルコキシエチレンとの共重合体（ＰＦＡ）、エチレンとテトラフルオロエチレンとの共重合体（ＥＴＦＥ）、テトラフルオロエチレンとヘキサフルオロブロビレンとの共重合体（ＦＥＰ）などの化合物が用いられる。
【００７２】
フィルムＦが加熱ドラム１４の周囲で熱現像のため加熱されると、例えば有機酸などの薬品成分を含むガスを発生するが、弾性層３８の表面に設けられた滑面層３９を構成するフッ素樹脂は、耐化学反応性を有するので、有機酸などのガス成分とは反応せず劣化しない。また、フッ素樹脂はそれらのガス成分が透過しないよう遮断し、シリコンゴム等からなる弾性層３８が有機酸などのガス成分に接触することはないので、そのガス成分により劣化せず、また変質しない。よって、弾性層３８は、経時的にその形状や物性の変化をほとんど起こさないので、初期の弾性力や熱伝導性を維持できる。
【００７３】
また、滑面層３９の膜厚は、弾性層３８の有機酸などのガス成分による劣化防止の観点から１０μｍ以上が好ましく、濃度むら防止の観点から６０μｍ以下が好ましい。
【００７４】
また、コイルばね２８の付勢力は、フィルムＦが加熱ドラム１４の外周面により確実に密着して、十分な熱伝達を受けながら安定して搬送されるように対向ローラ１６の押圧力を決定するものであるため、その値の選定には注意する必要がある。即ち、コイルばね２８の付勢力が過小であれば、フィルムＦに熱が不均一に伝導するため画像の現像が不完全になるおそれがあり、またフィルムの搬送が不安定になるおそれがある。
【００７５】
次に、図１，図２の画像形成装置１００において第１及び第２の装填部１１，１２からサイズの異なるフィルムが搬送された場合の加熱ドラムにおけるフィル位置について図１３を参照して説明する。図１３は図１の加熱ドラムの右側面図である（対向ローラ等は省略して図示している）。
【００７６】
図１３の加熱ドラム１４にフィルムが搬送されてくると、フィルムは、その装置前面側の側端部が加熱ドラム１４の外周面で図１３の基準線Ｇ０に沿うようにして搬送される。この場合、フィルムは、そのサイズに拘わらず、図９（ｂ）のように側端が装置前面側に整列した状態で搬送されてくるので、どのサイズのフィルムも基準線Ｇ０に沿って加熱ドラム１４の外周面で搬送されながら加熱される。
【００７７】
例えば、比較的小サイズのフィルム（幅Ｃが８または１０インチの六切等）は、フィルムの側端が基準線Ｇ０に沿い、他の側端がフィルムの幅Ｃで決まる小サイズ線Ｇ１に沿って加熱ドラム１４上を搬送される。また、比較的大サイズのフィルム（幅Ｄが１４インチの半切・大角・大仕切等）は、その側端が基準線Ｇ０に沿い、他の側端がフィルムの幅Ｄで決まる大サイズ線Ｇ２に沿って加熱ドラム１４上を搬送される。
【００７８】
従って、従来のように、加熱ドラム１４に対し小サイズフィルムが中央基準で搬送され、大サイズのフィルムが中央基準で搬送されると、小サイズフィルムに関する２本の通過跡が影響したのに対し、本実施の形態では、図１３のように、基準線Ｇ０に沿った片側基準で搬送されるので、大サイズのフィルムを搬送したとき、小サイズフィルムに関する１本の通過跡しか画像に影響しない。
【００７９】
また、比較的小サイズのフィルムを加熱ドラム１４において多数回連続的に加熱しながら搬送し、次に、比較的大サイズのフィルムを加熱し搬送した場合、加熱ドラム１４の外周面の弾性層３８上には、図５，図６，図１３のようにフッ素樹脂からなる滑面層３９が形成されており、加熱ドラム１４の使用中における弾性層３８の膨潤等の劣化を防止できるので、小サイズ線Ｇ１近傍におけるフィルムの膨潤跡がフィルム通過跡としてフィルムに残ってしまうような画像への影響を抑えることができる。このように弾性層３８の表面に滑面層３９を有する加熱ドラム１４を用いることで、フィルム通過跡の画像への影響を大幅に抑制できる。
【００８０】
従来、特に有機溶剤を使用した銀塩熱現像感光フィルムなどを現像する熱現像部では、熱現像感光フィルムが現像される際にフィルム表面層の界面活性剤や乳剤層からの有機溶剤または有機酸などがフィルムより遊離し、加熱ドラムの表面層のシリコンゴム等の弾性体にアタックすることで弾性体が劣化し、弾性体の膨潤や磨耗が発生してしまい、安定した仕上がり画質が得られない問題があったのに対し、本実施の形態では、弾性層３８上にフッ素樹脂の含有する滑面層３９を形成することで、熱現像感光フィルムが現像される際にフィルム表面層の界面活性剤や乳剤層からの有機溶剤または有機酸などが高伝導率弾性体にアタックできないようにし、経時的に弾性体が劣化することを防止することで、安定な仕上がり画質を得ることが可能になる。
【００８１】
次に、図５の加熱ドラム１４から離れたフィルムＦを最初に案内するガイド部材について説明する。図５のように、現像されたフィルムＦを加熱ドラム１４から分離し搬送方向に案内するためのガイド部材２１０が最下流の対向ローラ１６ｅの下方に加熱ドラム１４と搬送ローラ対１４４ａとの間に配置されている。即ち、ガイド部材２１０は、フィルムＦが加熱ドラム１４と対向ローラ１６との間で搬送されて最外周の滑面層３９から離れた後に最初にその案内面３００がフィルムＦを案内するように配置されている。
【００８２】
図１の熱現像装置１００では、加熱ドラム１４に近づけて配置した図５のガイド部材２１０の案内面３００で熱現像後で軟化状態のフィルムを搬送ローラ対１４４ａを通して次工程の図１の冷却搬送部１５０に安定して導くことができる。
【００８３】
なお、加熱ドラムから分離したフィルムを冷却搬送部に案内するガイド先端と加熱ドラムとの間隙を一定に保つため突き当てコロ方式を採用することが考えられるが、この場合も、加熱ドラムの外周面が膨潤等を起こさないので、ドラム長手方向位置に径が一定となるため、ガイド先端と加熱ドラムとの間隙を確実に一定に維持でき、加熱ドラムの外周面を傷付けてしまうおそれがなくなる。
【００８４】
次に、露光部１２０の露光量を制御し補正を行う構成について図１４〜図１８を参照して説明する。
【００８５】
図１４は図３の露光部の露光量を制御する制御系を示すブロック図である。図１５は図１の加熱ドラムの幅方向（図１３）位置における温度分布を大サイズフィルムと小サイズフィルムの連続処理の各場合について示す温度分布特性図である。図１６は本実施の形態におけるフィルムの現像温度と濃度との関係を示す図である。図１７は図１５と図１６から得た図１の加熱ドラムの幅方向位置における濃度分布を示す図である。図１８は本実施の形態におけるフィルムの濃度と光量の関係を示す図である。
【００８６】
図４，図１５の制御部１５２は、中央演算処理装置（ＣＰＵ）から構成され、図３の外部の画像データ出力装置１２１から受信した画像情報に付帯する付帯情報に含まれるフィルムサイズ情報に基づいて加熱ドラム１４の幅方向位置における濃度分布を演算等する演算部１５３及び図３の露光部１２０の補正部１２５を制御する。メモリ１２６は加熱ドラム１４の幅方向位置におけるフィルムサイズ毎の温度分布データやフィルムサイズ等の各条件に対応した補正量を格納している。
【００８７】
制御部１５２は、画像データＳを含む画像情報を受信する度に付帯情報のフィルムサイズ情報をチェックし、フィルムが小サイズから大サイズに変更されたことを検知すると、メモリ１２６に格納していた加熱ドラム１４の幅方向位置における小サイズの温度分布データを読み出し、これらの温度分布データから図１５のような幅方向Ｗ（図１５の横軸）の位置における小サイズの温度分布データ（図１５の実線で示す）温度分布特性を予測し、演算部１５３で図１６のようなフィルム現像温度と濃度との関係から加熱ドラム１４の幅方向位置における図１７の実線のような濃度分布を演算して求める。
【００８８】
図１７の濃度分布及び図１８の濃度と光量の関係から加熱ドラム１４の幅方向Ｗの各位置における光量を演算し、この演算した光量から求めた光量変化量を相殺するような露光補正量を幅方向Ｗ（図１３）の各書き込みピッチ毎にメモリ１２６に記憶させ、露光部１２０による画像データ露光時には、画像データによる露光量を補正部１２５からの露光補正量で補正してから露光を行うことで、露光量の補正を行う。
【００８９】
次に、図１〜図１８の熱現像装置１００における露光量の補正を含めた動作について図１９のフローチャートを参照して説明する。
【００９０】
図３、図１４のように外部の画像データ出力装置１２１から画像データＳ及びフィルムサイズ情報を含む画像情報が入力すると（Ｓ０１）、例えば小サイズのフィルムが装填部１１または１２から選択されて搬送され（Ｓ０２）、そのフィルムに露光部１２０で画像データＳに基づき露光され潜像が形成され（Ｓ０３）、更に熱現像部１３０に搬送され加熱ドラム１４で加熱されることで現像されて潜像が可視像化されてから（Ｓ０４）、冷却搬送部１５０で冷却されながら搬送され（Ｓ０５）、排出部１６０へと排出される（Ｓ０６）。
【００９１】
そして、次の画像情報が入力した場合（Ｓ０７）、そのフィルムサイズ情報に基づいて小サイズから大サイズへのフィルムサイズ変更があるか否かを判断し（Ｓ０８）、このサイズ変更がない場合、ステップＳ０２に戻り同様のステップを実行する。
【００９２】
小サイズから大サイズへのフィルムサイズ変更があったとき（Ｓ０８）、小サイズのフィルムを連続して処理したため加熱ドラム１６の幅方向Ｗに図１５の実線のような不均一な温度分布が生じているので、上述のような補正を行い（Ｓ０９）、ステップＳ０２に戻り、大サイズのフィルムが装填部１２または１１から選択されて搬送され、同様のステップを実行する。
【００９３】
以上のように、本実施の形態の熱現像装置によれば、小サイズのフィルム（図１３の幅Ｃが８または１０インチの六切）について熱現像プロセスを続けて実行すると、加熱ドラム１４の片側から幅方向Ｗに図１５の実線のような不均一な温度分布が生じるが、大サイズのフィルム（幅Ｄが１４インチの半切・大角・大仕切等）に変更して熱現像プロセスを実行する際に、図１５の小サイズの六切フィルムの温度分布特性と、図１６のフィルムの温度濃度関係図とから図１７の実線のように幅方向位置に対する濃度分布特性を演算し、この図１７の濃度分布特性から求めた光量から光量変化量を求め、この光量変化量を相殺するような露光補正量に基づいて露光量を補正するので、フィルム面内の濃度を均一にでき、画像ヘの影響を低減できる。更に、加熱ドラム１４の幅方向において図１５の実線のような温度分布から破線で示すように均一な温度分布になるまで待つ必要がないので、サイクルタイムが長くならずに、生産性が低下しない。
【００９４】
なお、大サイズフィルムを連続処理したときには、図１５の破線のように加熱ドラム１４の幅方向の温度分布はほぼ均一であり、図１７の濃度分布も破線で示すようにほぼ均一であるので、大サイズから小サイズにフィルムを変更するときには、ステップＳ０９の補正は不要である。
【００９５】
次に、サイズの異なるフィルムを連続処理したとき図１の冷却搬送部１５０の片側から幅方向に温度分布が変動した場合にも濃度むらの問題が生じるので、上述の加熱ドラムの場合と同様に露光量の補正を行う構成について図２０を参照して説明する。図２０は図１の冷却搬送部１５０における幅方向の濃度分布特性を示す図である。
【００９６】
即ち、図１の冷却搬送部１５０は図５のガイド部材２１０を含め、フィルムを連続処理したとき、図面垂直方向の幅方向に温度分布が生じる。この温度分布特性をフィルムサイズ毎に予測し、この予測した冷却搬送部１５０の幅方向の温度分布特性と、フィルムの温度濃度情報とから演算される幅方向位置の濃度分布特性は例えば図２０のようになる。図２０に示すように、冷却搬送部１５０における幅方向濃度は、手前側の片側から奥側に向けて減少している。
【００９７】
図２０と図１８とから上述と同様にして得た光量から光量変化量を求め、この光量変化量を相殺するような露光補正量に基づいて露光量を補正することで、フィルム面内の濃度を均一にでき、画像ヘの影響を低減できるとともに、冷却搬送部１５０における幅方向の温度分布が均一になるまで待つ必要がないので、サイクルタイムが長くならずに、生産性が低下しない。
【００９８】
次に、加熱ドラム１４と冷却搬送部１５０の幅方向の温度分布特性の両方を考慮して行う露光量の補正を図２１を参照して説明する。図２１は、図１の加熱ドラムの幅方向位置における濃度分布特性（図１８）及び図１の冷却搬送部１５０における幅方向の濃度分布特性（図２０）をあわせて示すとともに、両濃度の濃度差の分布（破線）を示す図である。
【００９９】
図２１に示すように、加熱ドラム１４の幅方向位置における濃度分布特性（図１８）と、冷却搬送部１５０における幅方向の濃度分布特性（図２０）とから演算された幅方向位置に対する濃度差の分布特性（図２１の破線で示す）に基づいて上述と同様にして補正を行い、加熱ドラム１４の幅方向温度分布特性及び冷却搬送部１５０の幅方向温度分布特性の両方を考慮して補正するので、フィルム面内の濃度を更に均一にでき、画像ヘの影響を低減できるとともに、加熱ドラム及び冷却搬送部１５０における幅方向の温度分布が均一になるまで待つ必要がないので、サイクルタイムが長くならずに、生産性が低下しない。
【０１００】
以上のように本発明を実施の形態により説明したが、本発明はこれらに限定されるものではなく、本発明の技術的思想の範囲内で各種の変形が可能である。例えば、図５において、上流側の蓄熱容量を大きくした対向ローラは、その本数を適宜増減でき、また、大径の管状ローラから肉厚を適宜大きくして構成してもよい。また、材質もステンレス鋼以外の鉄鋼材料やアルミニウム材料から構成してもよい。また、対向ローラの直径は、３段階またはそれ以上に変えてもよく、また、異なる径のローラを交互に配列してもよい。
【０１０１】
【発明の効果】
本発明によれば、サイズの異なる熱現像感光フィルムを連続処理したときでも、サイクルタイムが長くならずに、フィルム面内の濃度を均一にでき、画像ヘの影響が少ない熱現像装置を提供できる。
【図面の簡単な説明】
【図１】本実施の形態による熱現像装置の要部を示す正面図である。
【図２】図１の熱現像装置の斜視図であり、第１の装填部を引き出した状態を示す図である。
【図３】図１の熱現像装置の露光部を概略的に示す図である。
【図４】図１の熱現像部１３０の斜視図である。
【図５】図４の構成をＩＶ−ＩＶ線で切断して矢印方向に見た断面図である。
【図６】図４の構成を正面から見た図である。
【図７】本実施の形態におけるフィルムの断面図であり、レーザビームによる露光時におけるフィルム内の化学的反応を模式的に示した図である。
【図８】本実施の形態におけるフィルムの断面図であり、図７のような潜像の形成されたフィルムを加熱した時におけるフィルム内の化学的反応を模式的に示した図である。
【図９】図２の第１の装填部１１に設けられる搬送部を概略的に示す側面図である。
【図１０】図２の第１の装填部１１にバリア袋の除去部を概略的に示す側断面図である。
【図１１】図１，図２の第１及び第２の装填部に装填可能なフィルムパーケージの一部破断斜視図である。
【図１２】図１２（ａ）はフィルムの位置決め機構を含む図２の収納トレイ部を示す図であって、収納トレイ部をフィルムの幅方向で破断し、整列前の状態を示す断面図（ａ）、及び整列後の状態を示す断面図（ｂ）である。
【図１３】図１の加熱ドラムの右側面図である（対向ローラ等は省略して図示している）。
【図１４】図３の露光部の露光量を制御する制御系を示すブロック図である。
【図１５】図１の加熱ドラムの幅方向位置における温度分布を大サイズフィルムと小サイズフィルムの連続処理の各場合について示す温度分布特性図である。
【図１６】本実施の形態におけるフィルムの現像温度と濃度との関係を示す図である。
【図１７】図１５と図１６から得た図１の加熱ドラムの幅方向位置における濃度分布を示す図である。
【図１８】本実施の形態におけるフィルムの濃度と光量の関係を示す図である。
【図１９】図１〜図１８の熱現像装置１００における露光量の補正を含めた動作を説明するためのフローチャートである。
【図２０】図１の冷却搬送部１５０における幅方向の濃度分布特性を示す図である。
【図２１】図１の加熱ドラムの幅方向位置における濃度分布特性（図１８）及び図１の冷却搬送部１５０における幅方向の濃度分布特性（図２０）をあわせて示すとともに、両濃度の濃度差の分布（破線）を示す図である。
【符号の説明】
１００・・・熱現像装置
１３０・・・熱現像部
１１，１２・・・装填部
１４・・・加熱ドラム
１６・・・対向ローラ
３２・・・ヒータ
３８・・・弾性層
３９・・・滑面層
１２０・・・露光部
１２５・・・補正部
１３０・・・熱現像部
１５０・・・冷却搬送部
１５２・・・制御部
１５３・・・演算部
Ｆ・・・フィルム（熱現像感光フィルム）
Ｗ・・・加熱ドラムの幅方向
【図１】
2005037525.tif 000003
【図２】
2005037525.tif 000004
【図３】
2005037525.tif 000005
【図４】
2005037525.tif 000006
【図５】
2005037525.tif 000007
【図６】
2005037525.tif 000008
【図７】
2005037525.tif 000009
【図８】
2005037525.tif 000010
【図９】
2005037525.tif 000011
【図１０】
2005037525.tif 000012
【図１１】
2005037525.tif 000013
【図１２】
2005037525.tif 000014
【図１３】
2005037525.tif 000015
【図１４】
2005037525.tif 000016
【図１５】
2005037525.tif 000017
【図１６】
2005037525.tif 000018
【図１７】
2005037525.tif 000019
【図１８】
2005037525.tif 000020
【図１９】
2005037525.tif 000021
【図２０】
2005037525.tif 000022
【図２１】
2005037525.tif 000023